(57)【要約】【課題】投射モードの変更をユーザーに認識させて当該変更をキャンセルすべきか否かを確認することができる。【解決手段】複数の設置状態に応じた投射モードが選択可能なプロジェクター１００であって、入力される画像データに基づいて、現在選択されている投射モードに応じた投射画像を投射する投射部１２０と、投射モードを変更する投射モード変更部１７０と、投射モードが変更されたことに応じて、投射モードの変更をキャンセルすべきか否かを確認するためのモード変更確認画像を投射部１２０に投射させるモード変更確認部１８０と、を備えるプロジェクター１００を提供する。【選択図】図２
2011151639.tif 000002
【特許請求の範囲】
【請求項１】
複数の設置状態に応じた投射モードが選択可能なプロジェクターであって、
入力される画像データに基づいて、現在選択されている前記投射モードに応じた投射画像を投射する投射部と、
前記投射モードを変更する投射モード変更部と、
前記投射モードが変更されたことに応じて、前記投射モードの変更をキャンセルすべきか否かを確認するためのモード変更確認画像を前記投射部に投射させるモード変更確認部と、
を備えるプロジェクター。
【請求項２】
前記投射モード変更部は、前記投射モードが変更されたことに応じて、前記投射モードが変更されたか否かを示す投射モード変更フラグを投射モードが変更されたことを示す設定に変更し、
前記モード変更確認部は、前記投射モード変更フラグが、前記投射モードが変更されたこと示す設定に変更された状態で所定の操作が行われた場合に、前記モード変更確認画像を前記投射部に投射させることを特徴とする請求項１に記載のプロジェクター。
【請求項３】
前記投射モード変更フラグの設定を記憶する記憶部を更に備え、
前記モード変更確認部は、起動操作が行われた場合に、前記投射モード変更フラグが前記投射モードが変更されたことを示す設定であることが前記記憶部から読み出されたことに応じて、前記モード変更確認画像を前記投射部に投射させることを特徴とする請求項２に記載のプロジェクター。
【請求項４】
前記モード変更確認部は、複数の前記投射モードの各々に応じた方向で投射される確認メッセージを含む前記モード変更確認画像を前記投射部に投射させることを特徴とする請求項１から３のいずれか１項に記載のプロジェクター。
【請求項５】
前記モード変更確認部は、前記投射モードの変更をキャンセルするための操作内容を含む前記モード変更確認画像を前記投射部に投射させることを特徴とする請求項１から４のいずれか１項に記載のプロジェクター。
【請求項６】
前記モード変更確認部は、前記モード変更確認画像を前記投射部に投射させてから所定の時間操作が行われなかった場合に、前記モード変更確認画像の投射を停止させて、変更された前記投射モードに応じた投射画像を投射させることを特徴とする請求項１から５のいずれか１項に記載のプロジェクター。
【請求項７】
複数の投射モードが選択可能なプロジェクターの制御方法であって、
入力される画像データに基づいて、現在選択されている前記投射モードに応じた投射画像を投射する投射段階と、
前記投射モードを変更する投射モード変更段階と、
前記投射モードが変更されたことに応じて、前記投射モードの変更をキャンセルすべきか否かを確認するためのモード変更確認画像を前記投射部に投射させるモード変更確認段階と、
を備えるプロジェクターの制御方法。
【発明の詳細な説明】
【技術分野】
【０００１】
本発明は、複数の設置状態に応じた投射モードが選択可能なプロジェクターおよびその制御方法に関する。
【背景技術】
【０００２】
プロジェクターは、写真や動画などを大画面で表示させたりプレゼンテーションを行う際に広く利用されているが、設置場所の制約などで机上の設置スペースが確保できない場合は、吊り下げ金具などを介して天井に固定される場合がある。そして、このように天吊りで使用される場合は、正置き（机上に設置）する場合と比べてプロジェクターの装置本体が天地逆向きとなることから、画像の投射方向も逆向きに変更する必要がある。
【０００３】
例えば特許文献１には、装置本体の天地の設置方向を、装置本体に内蔵された角度センサーで自動検出することのできるプロジェクターが提案されている。このようなプロジェクターでは、机上に設置していたプロジェクターを天井からの吊下設置に変更した場合でも、内蔵する角度センサーでただちに設置状態を検出して投射方向などを設置状態に応じたものに変更することができる。
【先行技術文献】
【特許文献】
【０００４】
【特許文献１】特開２００３−２９５３１０号公報
【発明の概要】
【発明が解決しようとする課題】
【０００５】
しかしながら、上記特許文献１のプロジェクターでは、角度センサーや当該角度センサーからの信号を処理する処理回路などを設けなければならず、コストアップ要因となっていた。
【課題を解決するための手段】
【０００６】
上記課題を解決することを目的として、本発明は、一の形態として、複数の設置状態に応じた投射モードが選択可能なプロジェクターであって、入力される画像データに基づいて、現在選択されている前記投射モードに応じた投射画像を投射する投射部と、前記投射モードを変更する投射モード変更部と、前記投射モードが変更されたことに応じて、前記投射モードの変更をキャンセルすべきか否かを確認するためのモード変更確認画像を前記投射部に投射させるモード変更確認部と、を備えるプロジェクターを提供する。
【０００７】
このようなプロジェクターによれば、投射モードが変更されていることをユーザーが確実に認識して当該変更の承認またはキャンセルを判断することができるので、例えば、一のユーザーが投射モードを正置きモードから天吊りモードへ変更したにも関わらず他のユーザーが正置きのまま使用を開始した場合に、当該他のユーザーは前のユーザーが行った投射モードの変更をキャンセルすることができる。
【０００８】
また、上記プロジェクターにおいて、前記投射モード変更部は、前記投射モードが変更されたことに応じて、前記投射モードが変更されたか否かを示す投射モード変更フラグを投射モードが変更されたことを示す設定に変更し、前記モード変更確認部は、前記投射モード変更フラグが、前記投射モードが変更されたことを示す設定に変更された状態で所定の操作が行われた場合に、前記モード変更確認画像を前記投射部に投射させることが好ましい。
【０００９】
このように、モード変更確認画像を特定の操作に対応付けて投射することで、例えば設置状態に対して適切でない投射モードで起動操作（電源投入操作）やその後の投射条件の設定操作などを行ったユーザーが、投射モードが変更されていることを確実に認識して当該変更の承認またはキャンセルを判断することができる。
【００１０】
また、上記プロジェクターは、前記投射モード変更フラグの設定を記憶する記憶部を更に備え、前記モード変更確認部は、起動操作が行われた場合に、前記投射モード変更フラグが前記投射モードが変更されたこと示す設定であることが前記記憶部から読み出されたことに応じて、前記モード変更確認画像を前記投射部に投射させることが好ましい。
【００１１】
これにより、電源がオフされても投射モードが変更された記録としての投射モード変更フラグが保持されるので、ユーザーは、次回の起動時に投射モードが変更されていることを確実に認識することができる。
【００１２】
また、上記プロジェクターにおいて、前記モード変更確認部は、複数の前記投射モードの各々に応じた方向で投射される確認メッセージを含む前記モード変更確認画像を前記投射部に投射させることが好ましい。
【００１３】
これにより、変更した投射モードに対応する設置状態と異なる設置状態でモード変更確認画像を投射した場合でも、ユーザーは確認メッセージから投射モードが変更されていることを確実に認識することができる。
【００１４】
また、上記プロジェクターにおいて、前記モード変更確認部は、前記投射モードの変更をキャンセルするための操作内容を含む前記モード変更確認画像を前記投射部に投射させることが好ましい。
【００１５】
これにより、ユーザーは、モード変更確認画像から投射モードが変更されていることを認識できるだけでなく、当該変更をキャンセルするための操作内容をも確認することができる。
【００１６】
前記モード変更確認部は、前記モード変更確認画像を前記投射部に投射させてから一定時間操作が行われなかった場合に、前記モード変更確認画像の投射を停止させて、変更された前記投射モードに応じた投射画像を投射させることが好ましい。
【００１７】
これにより、ユーザーは、変更された投射モードで投射画像を投射させたい場合に、特段の操作を要することなく投射を開始させることができる。
【００１８】
また、本発明は、他の形態として、複数の投射モードが選択可能なプロジェクターの制御方法であって、入力される画像データに基づいて、現在選択されている前記投射モードに応じた投射画像を投射する投射段階と、前記投射モードを変更する投射モード変更段階と、前記投射モードが変更されたことに応じて、前記投射モードの変更をキャンセルすべきか否かを確認するためのモード変更確認画像を前記投射部に投射させるモード変更確認段階と、を備えるプロジェクターの制御方法を提供する。
【図面の簡単な説明】
【００１９】
【図１】本発明の実施形態の一例であるプロジェクター１００およびプロジェクター１００を制御するリモートコントローラー２００の概略図を示す。
【図２】プロジェクター１００およびリモートコントローラー２００の機能ブロック図を示す。
【図３】プロジェクター１００によって投射されるメニュー画面の一例である。
【図４】投射モード変更画面の一例を示す。
【図５】投射モードが正置きモードから天吊りモードに変更された際に投射されるメッセージの一例を示す。
【図６】モード変更確認画像の一例を示す。
【図７】(ａ)および（ｂ）は、投射モードの変更操作が承認された場合とキャンセルされた場合とで投射される画像の関係を示す図である。
【図８】投射モードの変更操作が行われた際のプロジェクター１００の動作フローの一例を示す。
【図９】プロジェクター１００による投射動作の動作フローの一例を示す。
【発明を実施するための形態】
【００２０】
以下、添付図面に基づいて本発明の一実施形態について説明するが、以下の実施形態は特許請求の範囲にかかる発明を限定するものではなく、また、実施形態における特徴の組み合わせの全てが発明の解決手段に必須であるとは限らない。
【００２１】
図１は、本発明の実施形態の一例であるプロジェクター１００およびプロジェクター１００を制御するリモートコントローラー２００の概略図を示す。また、図２は、プロジェクター１００およびリモートコントローラー２００の機能ブロック図を示す。プロジェクター１００は、無線または有線により入力される画像データに基づいて生成される投射画像をスクリーンなどの投射面に投射することのできる装置であり、リモートコントローラー２００（図２では「ＲＣ」と表記）から各種の操作信号を無線送信することにより遠隔操作される。また、プロジェクター１００は、本体の操作パネル（不図示）を通じても操作される。
【００２２】
リモートコントローラー２００は、例えばユーザーによって携行可能な大きさの無線通信端末であり、本体表面に、電源ボタン２１１、メニューボタン２１２、エスケープボタン２１３、スクロールボタン２１４、複数の文字／数字入力ボタン２１５、ミュートボタン２１６、および決定（選択）ボタン２１７などの操作ボタンが配されている。また、リモートコントローラー２００には、操作内容などが表示される表示部２００が設けられている。このリモートコントローラー２００では、例えばユーザーがこれらの操作ボタンを押下することにより入力した操作内容に基づいて操作信号が生成され、当該操作信号がリモートコントローラー２００の送信部（不図示）から送信される。
【００２３】
プロジェクター１００は、ランプ１１０、光学部１１１、液晶パネル駆動部１１２、操作受付部１１３、電源部１１４、画像処理部１１５、記憶部１１６、制御部１１７、ランプ駆動部１１９、受信部１５０、表示部１６０、投射モード変更部１７０、およびモード変更確認部１８０を有する。本例のプロジェクター１００は、上記のリモートコントローラー２００からの操作信号により遠隔操作され、外部入力または内部に記憶される画像データに基づいて生成される投射画像をスクリーンなどの投射面に投射することができる。
【００２４】
また、本例のプロジェクター１００は、複数の設置状態に応じた投射モードが選択可能である。より具体的には、本例のプロジェクター１００は、机の上などに置いて使用する場合に選択される投射モードである正置きモードと、専用の吊下金具を用いて天井に固定して使用する場合に選択される投射モードである天吊りモードとが選択可能である。ここで、プロジェクター１００を天井から吊り下げて使用するときには、机の上などに置いて使用するときと比べて、装置本体が天地逆向きとなることから、正置きモードあるいは天吊りモードのいずれかが選択されると、後述するように、対応する設置状態に応じた投射条件が設定される。
【００２５】
なお、本例のプロジェクター１００では、机の上などに置いて使用する場合（正置き）と天井から吊り下げて使用する場合（天吊り）とを想定した投射モードが選択可能であるが、例えば、部屋の壁面などに設置して使用する場合（横置き）、ガラスなどの透明あるいは半透明な面に背面投射させるために当該投射面の背後に設置する場合（背面置き）、あるいは部屋の天井に投射させるために上向きに投射光が出射されるように設置する場合（上向き設置）など他の設置状態に応じた投射モードが選択可能であってもよい。
【００２６】
ランプ１１０は、例えば、高圧水銀ランプや、メタルハライドランプ及びハロゲンランプなどの高輝度が得られる放電式ランプである。光学部１１１は、ランプ１１０が放射する白色光を輝度分布の安定した略平行光に変換するインテグレーター光学系と、輝度分布の安定した白色光を赤色、緑色、青色の光成分に分離して各色光用の液晶ライトバルブに供給する分離光学系と、液晶ライトバルブにて各色光毎に画像信号に応じて変調された各色光を、再度合成する合成光学系（いずれも図示せず）とを含む。
【００２７】
光学部１１１は、合成光学系から射出されるフルカラーで略平行な変調光を、内蔵する投射レンズで拡大した投射光を生成する。これにより、プロジェクター１００は、投射面にフルカラー映像を投射することができる。
【００２８】
液晶パネル駆動部１１２は、光学部１１１の液晶ライトバルブ（図示せず）に対して画像処理部１１５から入力する画像信号とともに駆動電圧などを供給し、液晶ライトバルブに投射画像を写し出す。
【００２９】
電源部１１４は、制御部１１７からの信号に基づいて、外部電源３００からの電力をプロジェクター１００の各部に供給する。より具体的には、電源部１１４は、外部電源３００からの交流電力を内蔵するＡＣ／ＤＣ変換部（図示せず）にて変圧し、さらに整流および平滑化して安定化させた直流電圧をプロジェクター１００の各部に供給する。
【００３０】
ランプ駆動部１１９は、ランプ１１０を点灯するために高電圧を発生して放電経路を形成するイグナイター回路（図示せず）と、点灯後の安定した点灯状態を維持するためのバラスト回路（図示せず）とを備えている。なお、以下において、ランプ１１０、光学部１１１、液晶パネル駆動部１１２、およびランプ駆動部１１９をまとめて示す際は「投射部１２０」と称する。
【００３１】
受信部１５０は、例えば、IEEE 802.11a、IEEE 802.11b、またはIEEE 802.11gの少なくとも何れかの無線ＬＡＮ規格に対応した無線ＬＡＮカード、ＲＦＩＤタグ、あるいはＩｒＤＡおよびBluetooth（登録商標）などの通信規格に対応した受信デバイスであり、リモートコントローラー２００から送信される操作信号を受信する。また、受信部１５０は、例えば、ＵＳＢ端子、ＤＶ端子などの外部インターフェースを備え、外部から入力される画像データを受け取る。
【００３２】
記憶部１１６は、プロジェクター１００を起動させるときの起動ルーチンなど、プロジェクター１００の動作を制御するための様々なプログラムおよび付随するデータを記憶する。また、記憶部１１６は、投射動作時に外部から受信部１５０を介して供給される画像データを例えばフレーム単位で記憶してもよい。また、記憶部１１６は、投射モード変更フラグの設定を記憶する。この投射モード変更フラグは、投射モードが変更されたか否かを示すものであり、例えば投射モード変更部１７０により後述のように投射モードが変更された場合に、その設定が変更される。また、記憶部１１６は、投射モードが変更されたことに応じて投射されるモード変更確認画像の画像データを記憶する。記憶部１１６は、電源がオフの状態でも記憶されている情報が保持可能な記憶デバイスで構成されている。例えば、記憶部１１６には、不揮発性のメモリーあるいはバックアップ電源を有するメモリー、もしくはハードディスクなどが用いられる。
【００３３】
画像処理部１１５は、受信部１５０を介して供給される外部入力の画像データに基づいて、スクリーンの投射面に投射させるための画像信号を生成する。より具体的には、画像処理部１１５は、例えば、受信部１５０を介して入力されて記憶部１１６に記憶された画像データをフレーム単位で読み出して順次に画像信号に変換し、投射部１２０へ出力する。
【００３４】
操作受付部１１３は、受信部１５０が受信した上記操作信号が示す操作内容に基づいて、制御部１１７へ各種動作のトリガーとなる信号を送る。また、操作受付部１１３は、プロジェクター１００の本体外面に設けられた操作パネル（不図示）を通じて入力された操作内容に基づいて、当該操作内容に応じた信号を制御部１１７へ送る。制御部１１７は、操作受付部１１３からの信号をトリガーとしてバスラインＢｕｓを介して各部を制御する。
【００３５】
表示部１６０は、例えば複数色に点灯するＬＥＤを有し、当該ＬＥＤの点灯色および点灯状態（連続点灯あるいは点滅）によってプロジェクター１００の現在の状態をユーザーに知らせる。例えば、受信部１５０が画像データの入力端子を複数有しており、そのうちの特定の入力端子が投射画像のソース端子として選択されている場合、当該ソース端子に画像データが入力していれば、表示部１６０におけるソース端子への画像データの入力状態を示すＬＥＤ（入力ステータスＬＥＤ）が緑色に点灯する。一方、ソース端子に画像データが入力していなければ、上記入力ステータスＬＥＤは赤色に点灯する。また、ソース端子への画像データの入力が途切れた場合、入力ステータスＬＥＤは赤色に点滅する。
【００３６】
なお、表示部１６０は、上記のようにＬＥＤを有する形態に限られず、例えば、小型のＬＣＤ（液晶表示部）であってもよい。また、表示部１６０が表示する内容についても、プロジェクター１００の状態に限られない。
【００３７】
投射モード変更部１７０は、受信部１５０が受信した上記操作信号が示す操作内容、あるいはプロジェクター１００本体の操作パネル（不図示）を通じて入力された操作内容が投射モードの変更操作を示すものである場合、現在選択されている投射モードを選択された投射モードへ変更する。また、投射モード変更部１７０は、投射モードの変更操作が入力されると、投射モードを変更するだけでなく、記憶部１１６が記憶している投射モード変更フラグを、投射モードが変更されたこと示す設定に変更する。
【００３８】
より具体的には、プロジェクター１００の起動中に、ユーザーがリモートコントローラー２００のメニューボタン２１２または本体の操作パネル（不図示）のメニューボタンを押下すると、図３に示すようなメニュー画面が投射される。そして、ユーザーがメニュー画面内に表示される複数のメニュー項目の中から「投射モード変更」を選択すると、例えば図４に一例を示すように投射モード変更画面が投射される。
【００３９】
ここで、現在選択されている投射モードが正置きモードである場合は、ユーザーが投射モード変更画面内に表示される「正置き」および「天吊り」のメニュー項目から「天吊り」を選択すると、例えば図５に示すように投射モードが正置きモードから天吊りモードに変更された旨を示すメッセージが表示されるとともに、投射モード変更部１７０が記憶部１１６に記憶されている投射モード変更フラグを、投射モードが変更されたこと示す設定に変更する。
【００４０】
なお、投射モード変更部１７０によって投射モードが変更された場合でも、投射部１２０は、ユーザーがさらに所定の操作を行うまでは、変更前の投射モードで画像を投射する。すなわち、本例では、図５に例示したメッセージの内容（「次回起動時から反映されます。」）が示すように、例えば正置きモードから天吊りモードへの変更操作が行われた後もプロジェクター１００の電源がオフとなるまでは、投射部１２０は、正置きモードで画像を投射する。そして、電源オフ後、次に起動した際に、投射部１２０は、天吊りモードで画像の投射を開始する。また、このとき、後述のように、投射部１２０は、天吊りモードでの投射動作を開始するのに先立って、モード変更確認画像を投射してユーザーに投射モードの変更をキャンセルすべきか否かを確認した後、投射モードの変更をユーザーが承認した場合にのみ、投射部１２０は変更された投射モードで画像を投射する。
【００４１】
モード変更確認部１８０は、投射モードが変更されたことに応じて、投射モードの変更をキャンセルすべきか否かを確認するためのモード変更確認画像を投射部１２０に投射させる。本例では、モード変更確認部１８０は、投射モード変更部１７０によって投射モード変更フラグが投射モードが変更されたこと示す設定に変更された状態で所定の操作が行われた場合に、モード変更確認画像を投射部１２０に投射させる。
【００４２】
より具体的には、モード変更確認部１８０は、起動操作が行われた際に記憶部１１６にアクセスして投射モード変更フラグの設定を読み出し、読み出された設定が前回の起動時に投射モードが変更されたこと示すものである場合は、プロジェクター１００が前回使用された際に投射モードの変更操作が行われたことを検出する。そして、モード変更確認部１８０は、モード変更確認画像の画像データを記憶部１１６から読み出して投射部１２０に投射させる。なお、投射モード変更フラグの設定が、前回の起動時に投射モードの変更が行われていないことを示すものである場合は、モード変更確認画像は投射されず、選択されている投射モードのままで投射動作が開始される。
【００４３】
上記モード変更確認画像の一例を図６に示す。図６に示すように、モード変更確認画像は、投射モードの変更をキャンセルすべきか否かを確認する確認メッセージを含む。また、上記確認メッセージには、投射モードの変更をキャンセルするための操作内容（図６に示す例では「正置きモードに戻す場合は〔Ｅｓｃ〕キーを押してください」がこれに相当）が含まれる。
【００４４】
また、モード変更確認画像中の上記確認メッセージは、投射画像の天地が互いに逆になる正置きモードおよび天吊りモードの各投射モードに対応する方向で、すなわちプロジェクター１００がいずれの設置状態で設置された場合でもユーザーが上記確認メッセージを読み取り易い方向で（本例では互いに１８０度回転させた確認メッセージを上下に配置して）表示される。なお、プロジェクター１００が正置きおよび天吊り以外の設置状態で設置され得る場合は、モード変更確認画像には、すべての設置状態に応じた方向で確認メッセージが表示されることが好ましい。
【００４５】
また、モード変更確認部１８０は、上記モード変更確認画像を投射部１２０に投射させてから所定時間の間操作が行われなかった場合に、当該モード変更確認画像に替えて上記変更操作により選択された投射モードに応じた投射画像を投射させる。より具体的には、モード変更確認部１８０はタイマーを備え、正置きモードから天吊りモードへ投射モードが変更されたことに応じて図６に示すモード変更確認画像を投射部１２０に投射させている場合、モード変更確認画像の投射開始から何らかの操作が行われるまでの時間をカウントする。
【００４６】
そして、モード変更確認部１８０は、いずれの操作も行われないままカウントしている時間が予め設定した時間に達すると、ユーザーにより天吊りモードへの変更が承認されたものとして、正置きモードから１８０度回転した投射画像を投射部１２０に投射させる。一方、モード変更確認部１８０は、カウントしている時間が予め設定した時間に達する前に投射モードの変更をキャンセルするための操作（本例ではリモートコントローラー２００のエスケープボタン２１３または本体の操作パネルのエスケープボタンの押下）が行われた場合は、ユーザーにより天吊りモードへの変更がキャンセルされたものとして、投射画像を変更前の向きのまま（正置きモードで）投射させる。
【００４７】
なお、モード変更確認部１８０は、カウントしている時間が予め設定した時間に達する前に上記キャンセル操作以外の操作が行われた場合は、ユーザーにより天吊りモードへの変更が承認されたものとして、正置きモードから１８０度回転した投射画像を投射させてもよい。
【００４８】
このように、モード変更確認部１８０は、天吊りモードへの変更が承認された場合とキャンセルされた場合とで、正置きモードで投射させた場合に互いに１８０度回転した投射画像を投射部１２０に投射させる。より具体的には、天吊りモードへの変更がユーザーによりキャンセルされた場合は、モード変更確認部１８０は、例えば図７（ａ）の向きで投射画像を投射部１２０に投射させる。一方、天吊りモードへの変更がユーザーにより承認された場合は、モード変更確認部１８０は、図７（ａ）の向きから１８０度回転した向き（図７（ｂ））で投射画像を投射部１２０に投射させる。なお、プロジェクター１００は、天吊り設置の状態では、正置き時に対して本体の上面および底面が逆に、すなわち天地逆向きに設置された状態となる。したがって、投射部１２０により投射される画像の向きは、正置きモードと天吊りモードで実質的に同じとなる。
【００４９】
また、本例のプロジェクター１００では、投射モードが変更されると、次の起動時に投射モードの変更をキャンセルすべきか否かを確認するためのモード変更確認画像が投射されるので、投射モードが変更されていることをユーザーが確実に認識して当該変更の承認またはキャンセルを判断することができる。したがって、例えば、一のユーザーがプロジェクター１００の投射モードを床置時のモードから天吊時のモードへ変更したにも関わらず他のユーザーが正置きのまま使用を開始した場合に、当該他のユーザーは前のユーザーが行った投射モードの変更をキャンセルすることができる。
【００５０】
また、モード変更確認画像を起動操作に対応付けて投射することで、例えば設置状態に対して適切でない投射モードで起動操作やその後の投射条件の設定操作などを行ったユーザーが、投射モードが変更されていることを確実に認識して当該変更の承認またはキャンセルを判断することができる。また、本例のプロジェクター１００は、電源がオフの状態でも記憶されている情報の保持が可能な記憶部１１６に投射モード変更フラグの設定を記憶させているので、投射モードが変更されてから電源がオフされても投射モードが変更された情報が保持される。したがって、ユーザーは、次の起動時に投射モードが変更されていることを確実に認識することができる。
【００５１】
また、モード変更確認画像が投射されてから所定時間の間操作が行われなかった場合は、操作を行うことなく変更後の投射モードで投射動作が開始されるので、ユーザーは、投射モードの変更を承認する場合には操作を要しない。
【００５２】
図８は、投射モードの変更操作が行われた際のプロジェクター１００の動作フローの一例を示す。本動作フローでは、まず、ユーザーがリモートコントローラー２００またはプロジェクター１００本体の操作パネル（不図示）を通じて投射モードの変更操作を行うと（ステップＳ５１）、投射モード変更部１７０は、プロジェクター１００の投射モードを変更し（ステップＳ５３）、さらに、記憶部１１６が記憶している投射モード変更フラグを、投射モードが変更されたこと示す設定に変更する（ステップＳ５５）。
【００５３】
そして、投射モード変更部１７０は、プロジェクター１００の投射モードが変更され、当該変更が投射部１２０による投射画像に反映される条件（本例ではプロジェクター１００の電源オフ後の再起動）を示すメッセージを含む画像を投射部１２０に投射させる（ステップＳ５７）。これにより、本フローは終了する。
【００５４】
図９は、プロジェクター１００による投射動作の動作フローの一例を示す。本動作フローでは、まず、ユーザーがリモートコントローラー２００の電源ボタン２１１またはプロジェクター１００本体の電源ボタンを押下してプロジェクター１００の起動操作を行うと（ステップＳ１１０）、モード変更確認部１８０は、記憶部１１６にアクセスして投射モード変更フラグの設定を読み出す（ステップＳ１１２）。
【００５５】
そして、読み出された設定が、前回の起動時に投射モードが変更されたこと示すものである場合（ステップＳ１１５：ＹＥＳ）、モード変更確認部１８０は、モード変更確認画像を投射部１２０に投射させる（ステップＳ１２０）。そして、モード変更確認画像の投射が開始されてからの時間がモード変更確認部１８０によってカウントされる（ステップＳ１２５）。なお、投射モード変更フラグの設定が投射モードの変更が行われていないことを示すものである場合（ステップＳ１１５：ＮＯ）は、選択されている投射モードで投射画像が投射される（ステップＳ１６０）。
【００５６】
一方、上記ステップＳ１２５においてカウントしている時間が予め設定した時間に達する前にユーザーにより何らかの操作が行われた場合、当該操作が投射モードの変更をキャンセルするための操作（キャンセル操作）である場合（ステップＳ１３０：ＹＥＳ）は、投射モードが現在選択されているモードから変更前のモードに戻された後（ステップＳ１６５）、モード変更確認画像の投射が停止される（ステップＳ１４５）。そして、モード変更確認部１８０によってカウントされていた時間がリセットされ（ステップＳ１５０）、さらには、モード変更確認部１８０によって、投射モード変更フラグが投射モードの変更操作が行われていないことを示す設定に戻される（ステップＳ１５５）。そして、変更前の投射モードで投射画像が投射させる（ステップＳ１６０）。
【００５７】
一方、カウントされる時間が予め設定した時間に達する前に上記キャンセル操作以外の操作が行われた場合（ステップＳ１３０：ＮＯ）（ステップＳ１３５：ＹＥＳ）は、前回の起動時に行われた投射モードの変更がユーザーにより承認されたものとして、モード変更確認画像の投射が停止される（ステップＳ１４５）。そして、モード変更確認部１８０によってカウントされていた時間がリセットされ（ステップＳ１５０）、さらには、モード変更確認部１８０によって、投射モード変更フラグが投射モードの変更操作が行われていないことを示す設定に戻される（ステップＳ１５５）。そして、この場合は、選択されている投射モード（前回起動時に変更された投射モード）で投射画像が投射される（ステップＳ１６０）。
【００５８】
また、いずれの操作も行われないままモード変更確認部１８０でカウントしている時間が予め設定した時間に達した場合（ステップＳ１４０：ＹＥＳ）についても、前回の起動時に行われた投射モードの変更がユーザーにより承認されたものとして、上記ステップＳ１４５〜ステップＳ１６０が実行されて、前回起動時に変更された投射モードで投射画像が投射される。以上により、本動作フローは終了する。
【００５９】
なお、本動作フローでは、投射モードの変更操作が行われたことを投射モード変更フラグの設定から検出してモード変更確認画像を投射するまでの動作をプロジェクター１００の起動時に行う例を示したが、これらを行うタイミングはプロジェクター１００の起動時に限られない。例えば、プロジェクター１００の投射動作中にユーザーによる所定の操作がなされたことに応じて行ってもよい。
【００６０】
（変形例）
上述した実施形態では、光源からの光を光変調部である液晶ライトバルブによって変調し投射する液晶３板式プロジェクターを例示したが、本発明はその他の方式を採用するプロジェクターにも適用することもできる。具体的には、ＤＭＤ（Ｄｉｇｉｔａｌ Ｍｉｃｒｏｍｉｒｒｏｒ Ｄｅｖｉｃｅ）を用いた投射方式、所謂、ＤＬＰ（Ｄｉｇｉｔａｌ Ｌｉｇｈｔ Ｐｒｏｃｅｓｓｉｎｇ）（登録商標）方式である。すなわち、ＤＬＰ方式は白色に光るランプの光をレンズで集光してＤＭＤに当て、ＤＭＤの個々のミラーがオン状態に傾いているときの光を他のレンズで拡大し、スクリーンに投射する方式であり、本発明はこのような方式のプロジェクターにも適用することができる。
【００６１】
また、上述した実施形態では、光源として放電式ランプを用いて投射するプロジェクター１００を例示したが、本発明は光源としてＬＥＤ光源やレーザー光源などを用いて投射するプロジェクターにも適用することができる。
【符号の説明】
【００６２】
１００…プロジェクター、１１０…ランプ、１１１…光学部、１１２…液晶パネル駆動部、１１３…操作受付部、１１４…電源部、１１５…画像処理部、１１６…記憶部、１１７…制御部、１１９…ランプ駆動部、１２０…投射部、１５０…受信部、１６０…表示部、１７０…投射モード変更部、１８０…モード変更確認部、２００…リモートコントローラー、２１１…電源ボタン、２１２…メニューボタン、２１３…エスケープボタン、２１４…スクロールボタン、２１５…文字／数字入力ボタン、２１６…ミュートボタン、２１７…決定ボタン、２２０…表示部、３００…外部電源
【図１】
2011151639.tif 000003
【図２】
2011151639.tif 000004
【図３】
2011151639.tif 000005
【図４】
2011151639.tif 000006
【図５】
2011151639.tif 000007
【図６】
2011151639.tif 000008
【図７】
2011151639.tif 000009
【図８】
2011151639.tif 000010
【図９】
2011151639.tif 000011